(57)【要約】      （修正有）【課題】構造的に、或いは取り付け方法においても簡単で、しかも室内や家具等に目立つような傷を残すことなく、地震による振動や揺れが生じても支持位置が前後左右にずれたり、外れたりすることがなく、万一の場合にも確実に作用して家具の転倒防止を可能にする家具転倒防止装置を提供する。【解決手段】上方の天板と下方の底板とが平行に設けられ、これらの左右両端部に夫々支柱を立設し、これらの支柱によって前記天板と前記底板とを連結する家具転倒防止装置であって、前記支柱の夫々に高さ調節用のアジャスターを併設し、かつ、前記底板正面側の左右方向に桟ユニットを設けることを特徴とする家具転倒防止装置である。【選択図】図１
0003143809.tif 000002
【実用新案登録請求の範囲】
【請求項１】
上方の天板と下方の底板とが平行に設けられ、
これらの左右両端部に夫々支柱を立設し、
これらの支柱によって前記天板と前記底板とを連結する家具転倒防止装置であって、
前記支柱の夫々に高さ調節用のアジャスターを併設し、
かつ、前記底板正面側の左右方向に桟ユニットを設けることを特徴とする家具転倒防止装置。
【請求項２】
前記天板と前記底板の夫々左右方向中央部において、
さらに、支柱を立設することを特徴とする請求項１記載の家具転倒防止装置。
【考案の詳細な説明】
【技術分野】
【０００１】
本考案は、地震等により振動、衝撃を受けた時に室内の箪笥、本棚、食器棚等家具の転倒を防止する家具転倒防止装置に関する。詳しくは、天板と底板との間に高さ調節可能に支柱を設けることにより、家具類が地震等の振動により転倒することを防止し、かつ、支柱の間に置いた物の落下防止のため水平方向に桟ユニットを設けることにより、桟の中の置物の落下を防止する家具転倒防止装置に関する。
【背景技術】
【０００２】
家庭内において比較的大きく重量のある機器類や家具類が地震によって転倒し、住人が下敷きになるという事例が各地の地震の際に報告された。それ以来、大型テレビや冷蔵庫、箪笥、本棚、食器棚など、大地震の場合に家庭内において転倒すれば危険であると思われるものに対して取り付ける転倒防止装置あるいは器具が提案されている。例えば、家具の転倒防止装置としては、家具 背部の壁面と家具 の天板とを金具により固定する装置や、室の天井板と家具の天板との間でジャッキアップまたはターンバックル方式で上下に突っ張る装置や、家具の内部や家具を載置する台座等に振動減衰部材を組み込んだ免震装置などがある。ターンバックル方式として、家具にネジで取り付けられた固定金具と、壁面や柱にネジで取り付けられた固定金具との間を連結し、胴体部を密着巻のコイルスプリングで構成したバネの方式がある。胴体部を回して締上げて適度な張りを持たせることによって、地震によって家具 が揺すられた場合に、適度に伸び縮みして振動を吸収する（特許文献１）。
【０００３】
また、基部から連結頸部および保持部が一体に立ち上がる構造で、基部の底面および保持部の取付け面には、それぞれ粘着材が貼付されている。基部は、転倒防止措置を施したい機器等が載置される床面に貼り付けられ、保持部は、この機器等の下部の外側面に貼り付けられる転倒防止具が有る。その他、柱側および家具側に各々取り付けられるベースプレートと、半円状の円弧に形成された湾曲部を有してベースプレートに沿う軸線を中心に揺動する連結金具と、両端部がそれぞれの連結金具と遊嵌する短冊形状の中間部材とで構成される転倒防止装置である。この転倒防止装置は、ベースプレートに対して連結金具が揺動可能であり、連結金具に対して中間部材が遊嵌しているので、家具 を配置した位置によらずに近くの柱にベースプレートの一方を適度に合わせて固定することができる。また、地震で家具 が揺すられた場合に転倒防止装置に過度の応力が集中することが防止される（特許文献２）。
【０００４】
このように、家具 転倒防止装置には数々の工夫がなされ、地震等の振動や揺れによって、ずれたり外れたりすることがなく万一の場合でも確実に家具の転倒を防止する家具転倒防止装置の考案がなされている。即ち、管中心軸に平行状の摺動凹溝を周壁一側部に設け、該摺動凹溝内に適宜間隔毎の係止凹部を設けた小径管と、係合子を内挿した筒状体を上端部に嵌着した大径管とを、互に摺動伸縮自在に差合わせ、前記筒状体を両管短縮の固定手段とし、下方部にジャッキ装置を設けた突張支柱において、上端部と下端部に滑り止めとスパイク付きの板バネと釘打込み用小孔を設けた押圧体を夫夫取付けて家具の転倒防止装置とした。このような構成によって以下のような効果をもたらす。上下の押圧体にスパイク付き板バネを設けたので上下振動により押圧体が接触面から離れてもスパイクは弾性復元力により離れることがなく、装置本体がずれたり外れたりしないので常に家具 の転倒を防止することができる（特許文献３）。
【０００５】
【特許文献１】特開２００２−２４８０２３号公報
【特許文献２】特開平８−２５２１３７号公報
【特許文献３】実用新案登録第３０１５５１７号公報
【考案の開示】
【考案が解決しようとする課題】
【０００６】
以上の通りであって、特許文献に代表されるように、従来の転倒防止装置には、次のような問題点がある。
【０００７】
ジャッキアップまたはターンバックル方式で上下に突っ張る装置の問題点の第一は、箪笥等の家具に垂直方向の力を加えるために、天井裏の芯材の場所に固定することが必要であり、芯材の箇所を特定できない。また、バネ式ターンバックルは、取付け状態を適度に調整することが可能であるが、張力が常にかかるように取り付けるためには、固定金具がネジなどによってしっかりと対象物および柱などに接合されていなければならない。したがって、固定金具を取り付ける位置が限られてしまうとともに、設置作業が煩わしい。また、部屋の模様替えを行うなど対象となる機器や家具 を移動させる場合に、固定金具を適した状態で取り付けられるかどうか検討を要する。
【０００８】
ジャッキアップまたはターンバックル方式で上下に突っ張る道具では、奥行の有る箪笥等家具では、奥行に沿って複数個のジャッキを並べて天井と箪笥との間を突っ張るので、設置する間にその中の１〜２個が倒れやすい。そのために、箪笥の底の手前を例えば５ｍｍ程度浮かせて楔の間に段ボール等を挟みながら天井の突っ張りを固定する必要があり、作業が面倒である。
【０００９】
また、従来の転倒防止装置では、壁面と家具 の天板とを金具により固定するものは、壁面や家具 に取付け孔として大きな傷を付け、また家具 の移動の時に取り外しが面倒であるため好ましくなく、振動減衰部材を組み込んだ免震装置は、家具 が大型化するうえ、既存の家具 の大きさに合わない場合や、また装置も複雑でそれゆえ高額になるという欠点がある。
【００１０】
そこで、本考案においては、構造的に、或いは取り付け方法においても簡単で、しかも室内や家具等に目立つような傷を残すことなく天井と家具とを上下に突っ張るアジャスターを採用することによって、地震による振動や揺れが生じても支持位置が前後左右にずれたり、外れたりすることがなく、万一の場合にも確実に作用して家具の転倒防止を可能にする装置を提供することを目的とする。また、本考案は、機器や家具等への取付け側から壁や床などへの固定側までの距離に関わらず容易に立設することが可能であり、かつ、水平方向の桟ユニットによって、天井と箪笥との間の空間を有効利用してその空間に置いた物を落下防止する転倒防止装置を提供する。
【課題を解決するための手段】
【００１１】
本考案では、室内の天井と家具との間の取付け空間部に立設し、高さ調整用アジャスターによって圧迫力を生じて天井と家具に圧着させて突っ張り、家具を下方へ押し付けるものである。本考案者等は、左右の支柱を天板と底板とによって連結し、接触広さを確保する面接触による突っ張り方式を着想し、この着想に基づき試作したところ、家具を確実に固定できるという知見を得た。本考案の転倒防止装置はかかる知見を基に具現化したもので、請求項１の考案は、上方の天板と下方の底板とが平行に設けられ、これらの左右両端部に夫々支柱を立設し、これらの支柱によって前記天板と前記底板とを連結する家具転倒防止装置であって、前記支柱の夫々に高さ調節用のアジャスターを併設し、かつ、前記底板正面側の左右方向に桟ユニットを設けることを特徴とする家具転倒防止装置である。また、請求項２の考案は、請求項１の考案の上記特徴に加えて、前記天板と前記底板の夫々左右方向中央部において、さらに、支柱を立設することを特徴とする家具転倒防止装置である。
【考案の効果】
【００１２】
本考案では、アジャスターによる上下方向の圧迫力に対しても全長が短縮することがないので、上下両押圧体への圧着力が持続して突っ張り効果が低下しない。その結果、家具と天井は押圧され、家具を固着できるので地震による転倒を防止することができる。即ち、面積を有する上下の板部材によって安定して家具等を押圧することができ、地震等より家具等が転倒することが防止される。従来の家具転倒防止具のように、天井と家具との間を小さい面又は点で押えないので家具保持の安定感に欠けるようなことがなく、また、取り付けの際、複数の家具転倒防止具の高さが微妙に高い低いがあると家具転倒防止具が落下し易く天井と家具との間に取り付ける作業が面倒であるが、天板と底板に面積があるので作業上の不都合がない。そして、正面の下部左右方向に桟ユニットを左右方向に架設するので、この内側の空間に例えば季節ものの物品を置いて中の物品の落下を防止することができ、箪笥と天井の空間を有効活用できる。その他、天井と家具とを金具等により固定するようなことがないので、天井や家具を損傷せず、また、接着剤等で汚れない等の効果を奏するものである。
【考案を実施するための最良の形態】
【００１３】
本考案の実施の形態を、添付図面に示した本考案の実施例に基づいて以下に具体的に説明する。
【実施例】
【００１４】
本考案の実施例について、図１〜図６を参照しながら説明する。図１は、本考案における家具転倒防止装置の全体斜視図である。図２は、同上、支柱部の詳細図である。図３は、同上、高さ調整アジャスターの詳細図である。図４は、同上、桟ユニットを係止するロックユニットの詳細図である。図５は、同上、桟の副ロックユニットの詳細図である。図６は、同上、支柱にカバーを覆設した状態の斜視図である。
【００１５】
本実施例の家具転倒防止装置のサイズは、例えば天板１は長辺９００ｍｍ、短辺４００ｍｍで、全体の高さが５５ｍｍである。図１に示すように、家具転倒防止装置１００は、木製の化粧板からなる長方形の天板１を有し、この天板１の長辺方向両端の裏側にＬ字状のコーナー８、８を下方に向けて設け、木ネジ８１（図２参照）によって天板１にコーナー８、８を固着する。この鉄製のアングル８に裏側から支柱３を下方に向けてボルト８２によって立設する。そして、この支柱３の下端部にコーナー８をボルト８２によって固着し、更に、このコーナー８の底裏側から化粧板製の底板２を木ネジ８１によって固着する。なお、支柱３は断面コの字状の鉄製のチャンネル材を内側に向けて設け、この断面コの字の空間に上下方向に支柱３の高さを調節するアジャスター４を設ける。そして、底板２に固着した左右のコーナー８、８の正面側に桟ユニット５を底板２の長辺に沿って架設する。即ち、底板２の正面側で、底板２より僅か上方における左右方向に桟ユニット５が設けられている。そして、この桟ユニット５の両端部に桟ユニット５を起立或いは前傾可能に、ロックユニット６、６を設ける。ここで、家具転倒防止装置１００の天板１の長辺方向を左右方向、短辺方向を前後方向、そして天板１と底板２とを支持する支柱３の方向を上下方向と呼ぶ。また、桟ユニット５を設けた側を家具転倒防止装置の正面と呼ぶ。
【００１６】
本家具転倒防止装置は、アジャスター４によって支柱３の高さを調節する。このアジャスター４の構成について図２を参照しながら説明する。図（ａ）は支柱３を内側から見たアジャスター４を示し、図（ｂ）は支柱３を側面から見た状態を示し、図（ｃ）は支柱３を外側から見た状態を示す。ここで、支柱３は断面コの字状のチャンネル材が内外に重なった二重構造である。図（ａ）に示すように、外支柱３１の内側に内支柱３２が重なり、この内支柱３２の断面コの字状の空間の上下方向にアジャスター４の主要部を構成するボルト４１を有する。内支柱３２の下方は上下方向と直角に底部３３を有し、この底部３３を挟んでボルト４１のナット４２、４２を有する。外支柱３１の内側下方には、断面コの字状の空間にコの字状のストッパー４４を逆さにしてボルト４５によって外支柱３１に固着する。図（ｂ）に支柱３の側面を示すように、上下の略中間にストッパーボルト４６が外側からボルト４１に向けて設けられる。支柱３の下方に桟ユニット５を示す。図（ｃ）に支柱３の高さ方向略中間にストッパーボルト４６を示し、このストッパーボルト４６をガイドにして上下可能に移動する長穴４７を示す。
【００１７】
本実施例の家具転倒防止装置下部における左右のコーナー８、８間に桟ユニット５を架設する。図４にロックユニット６を示し、図（ａ）は内側から見た斜視図を、図（ｂ）は外側から見た斜視図を示す。図（ａ）左方の桟ユニット５はレバー６５の上端に支持され、この下端部はコーナー８下部の軸６６を支点として回動自在に設けられる。図示しない右方の桟ユニット５についても同様に、レバー６５の下端部が回動自在にコーナー８の下部に設けられる。一方、図（ａ）の右方には、コーナー８の上部に軸６４を支点としてレバー６１が回動自在に設けられる。図（ｂ）ではロックユニット６を外側から見たもので、桟ユニット５に設けられたピン６２にレバー６１が係止している。ここで、レバー６１は軸６４を支点として回動するようにリンク機構として構成され、一方、レバー６５は軸６６を支点として回動するようにリンク機構として構成される。
【００１８】
本家具転倒防止装置は、ロックユニット６と同様に桟ユニット５をロックする副ロックユニット７を有し、この構成を図５に支柱３の内側から見た状態を示す。図（ａ）左方のレバー７１は、この下端部が軸７１１を支点として回動自在に基板７４の下部に設けられ、このレバー７１の上下中程にピン７１２を有する。一方、図（ａ）の右方には、基板７４の上部に軸７２１を支点としてレバー７２が回動自在に設けられる。更にこのレバー７２の先端に軸７３１を設け、これを支点として回動自在にヒンジ７３を設け、このヒンジ７３にはレバー７１側に溝７３２を備える。また、基板７４に軸７２３を設けてレバー７２との間にバネ７２２を掛け、レバー７２は軸７２１を支点としてレバー７１側へバネ７２２によって付勢される構成である。図（ｂ）では、レバー７１が起立してヒンジ７３に近接し、ピン７１２がヒンジ７３の溝７３２に係止された状態を示す。
【００１９】
以上のように、本考案の家具転倒防止装置は構成され、次に本実施の形態にかかわる家具転倒防止装置を構成する部材の作用について説明する。
【００２０】
本実施例の家具転倒防止装置における、天板１は天井壁面側ベースプレートの機能を有し、一方の底板２は対物側ベースプレートの機能を有する。そして、これらの壁面側ベースプレートと対物側ベースプレートとの間を左右の支柱３、３によって連結する構成である。図３を参照して、家具転倒防止装置１００の天板１と底板２との間の高さ寸法を調節する手順を説明する。図３にアジャスター４の一部破断図を示し、主要部を構成するボルト４１下端部は、外支柱３１が断面Ｌ字状に曲がる底部４４にナット４３によりネジ絞め、固着される。一方、ボルト４１は上方に延び、長さ方向途中で内支柱３２の断面Ｌ字状に曲がる底部３３を上下からナット４２、４２によってネジ締め挟持、固着される。高さ寸法を調節する時はナット４２、４２を緩めるとともに、外支柱３１から内側へ貫通するストッパーボルト４６を緩める。次に、外支柱３１の内側で内支柱３２を上下にスライドさせて底部３３の位置を希望の高さに合わせ、底部３３の位置が決まったら、ナット４２、４２を締め込んでボルト４１を上下方向で固定する。次いで、ストッパーボルト４６を締め込んで、更にボルト４１を上下方向で固定する。このようにして、アジャスター４によって支柱３の高さ寸法を調節することによって、天板１と底板２との間の高さが変わる。本考案の家具転倒防止装置の高さは、アジャスター４における調整代Ｈの寸法を変えることによって３種類に大別され、例えば、４５０〜６２０ｍｍ、６００ｍｍ〜７７０ｍｍ、或いは７５０〜９２０ｍｍの品揃えをすることができた。
【００２１】
本家具転倒防止装置の使用の際は、家具と天井と空間高さ寸法が家具の高さによって変わっても、アジャスター４によって天板１と底板２との間の高さを調節して本家具転倒防止装置１００を家具と天井の両方を突っ張るように立設することができる。本家具転倒防止装置によって家具の上面と天井は押圧され、その結果家具は固着されるので家具の転倒を防止することができる。この時、天井は面を有する天板１によって押さえられ、下方の家具側も面を有する底板２によって押圧されるので安定する。従来の家具転倒防止具のように、天井と家具との間を小さい面或いは点で抑えることが無いので家具保持の安定感に欠けるようなことがない。また、従来の家具転倒防止具のように、取り付けの際複数の家具転倒防止装置の高さに微妙に差があると家具転倒防止具が落下する等して取り付け作業が面倒である。
【００２２】
本実施例の家具転倒防止装置では、正面の下部に桟ユニットを左右方向起立して設け、この枠内の空間に例えば季節ものの物品を置いて中の物品の落下を防止する。この中の物品を取り出す場合は、この桟ユニット５を前方へ倒して取り出す。このように、桟ユニット５を前方へ傾動可能にするためにロックユニット５を設け、この作用を説明する。図４（ａ）に示すように、桟ユニット５のレバー６５は長手略中央部にピン６３を備え、コーナー８に設けた軸６６を支点として矢印Ｖ方向に回動する。一方、レバー６１は軸６４を支点として矢印Ｗ方向に回動する。桟ユニット５をコーナー８に係止する時は、レバー６５をコーナー８側のレバー６１の溝６３に近づける。次いで、図４（ｂ）に示すように、桟ユニット５側のレバー６５のピン６３が、コーナー８側のレバー６１の溝６３に係止される手順となる。桟ユニット５の左右両端部において、両手を使って桟ユニット５側のレバー６５をコーナー８側のレバー６１に係止する。ここで、レバー６１を下方へ付勢するようにバネ（図示なし）が設けられるのでレバー６１がピン６１から外れない。このようにして、桟ユニット５がコーナー８に係止されるので、中の物品が外へ落下する恐れがなくなる。中の物品を取り出すために、桟ユニット５とコーナー８との係止を解除する場合は、手でレバー６１をレバー６１のピン６３から外し、操作を逆に戻る。
【００２３】
桟ユニット５が両手を広げたより長尺の場合は、前述した操作をするために左右の一方に副ロックユニット７を設けるので、この作用を説明する。この場合、左右下部のコーナー８の片方を副ロックユニット７に替える。図５（ａ）に示すように、レバー７１は長手略中央部ピン７１２を備え、基板７４に設けた軸７１１を支点として矢印Ｘ方向に回動する。一方、レバー７２は軸７２１を支点として矢印Ｙ方向に回動し、このレバー７２は基板７４に設けたバネ止め７２３との間のバネ７２２によって下方に付勢される。そして、レバー７２の先端の軸７３１を支点として回動自在にヒンジ７３が設けられ、ヒンジ７３は軸７３１を支点として矢印Ｚ方向に回動する。桟ユニット５を基板７４に係止する時は、レバー７１を基板７４側のヒンジ７３の溝７３２に近づける。次いで、図４（ｂ）に示すように、レバー７２の先端に軸７３１を支点として回動自在にヒンジ７３が設けられ、ヒンジ７３は軸７３１を支点として矢印Ｚ方向に回動するので、ピン７２３が溝７３２に係止される。桟ユニット５が長尺の場合、先ず桟ユニット５の一方端の副ロックユニット７側のレバー７１をヒンジ７３の溝７３２に係止しておき、次に、他方端の桟ユニット５側のレバー６５をコーナー８側のレバー６１に係止する。
【００２４】
支柱３を構成する内支柱３１及び外支柱３２は、天井と家具との間の耐震強度に耐えるように夫々鉄製のチャンネル材を使用する。そのため、金属部材が露出しないように、図６に示すように支柱３を断面Ｕ字状のカバー３４によって覆う。支柱３の高さ寸法は変わるので、カバー３４はベローズ、蛇腹を採用する方が好ましい。
【００２５】
その他、家具転倒防止装置は室内で家具と一緒に配置されるので、家具転倒防止装置の色彩を家具や室内の装飾に合わせると趣がある。例えば、木製家具に合わせて鉄製のコーナー８、支柱３を茶色に塗装を施し、或いは洋間の壁、カーテン等のインテリアに合わせて白色に塗装すること等が考えられる。
【００２６】
次に、本考案の家具転倒防止装置の使用例を図７〜図１０を参照しながら以下に説明する。
【００２７】
本考案の使用例１について図７に基づいて説明する。図（ａ）は家具転倒防止装置を立設する前で、本棚Ｂの上に段ボール箱Ｄを置いた状態を示す。図（ｂ）は天井Ｃと本棚Ｂとの空間に家具転倒防止装置１００を立設した状態を示す。床Ｆの上に直置きした本棚Ｂの上に家具転倒防止装置１００を載せ、次いで支柱３の内側のアジャスター４（図示なし）によって空間の高さ寸法に調節する。この時、天井Ｃは天板１によって押圧され、一方下の本棚Ｂの上面は底板２によって押圧される。このように、これらの面積を有する板部材によって安定して本棚Ｂを固定することができる。室内の天井と家具との間の取付け空間部に立設し、高さ調整用アジャスターによって圧迫力を加えて天井と家具との間を突っ張り、家具を下方へ押し付けるものであって、アジャスターによる圧迫力に対しても家具転倒防止装置の全長が短縮することがないので、家具への圧着力が持続する。このことは、以下他の使用例についても同様である。本使用例では、地震によって本棚が転倒することが防止され、かつ、家具転倒防止装置１００の支柱３、３の間に神棚Ｇを置くので本棚Ｂ上の空間を有効に活用できる。
【００２８】
次に、本考案の使用例２について図８に基づいて説明する。本例では、箪笥Ｔと天井Ｃとの空間に桟ユニット５を備える家具転倒防止装置１００を立設したものである。この結果、地震による箪笥Ｔが転倒することが防止され、かつ、家具転倒防止装置１００の左右の支柱３、３の間の空間に時計Ｗを掛け置き、しかも、桟ユニット５の内側に段ボール箱Ｄを落下しないように置くことができる。このようにして、箪笥Ｔの転倒防止と箪笥Ｔの上の空間を有効に活用できる。
【００２９】
本考案の使用例３について図９に基づいて説明する。図（ａ）は家具転倒防止装置を立設した状態を正面斜めから見た状態を示し、図（ｂ）は家具転倒防止装置を立設した状態を側方から見た状態を示す。家具転倒防止装置１００を茶棚Ｅと天井Ｃとの間の空間に立設する。図示のように、エアコンＡは出っ張り部を有するが、家具転倒防止装置１００の左右の支柱３、３の間に収めることができる。このようにして、茶棚Ｅの転倒を防止でき、かつ、茶棚Ｅの上の空間を有効に活用できる。
【００３０】
最後に、本考案の使用例４について図１０に基づいて説明する。本使用例では、左から高さの異なる箪笥Ｔ１、箪笥Ｔ２及び茶棚Ｅが並び、これらの三体を跨るように左右方向に長尺の家具転倒防止装置１００を立設したものである。この家具転倒防止装置１００は左右中央にも支柱３を設け、桟ユニット５も長尺である。家具転倒防止装置１００を立設するにあたっては、先ず、左の箪笥Ｔ１に台Ｋ１を挿着し、かつ、真中の箪笥Ｔ２に台Ｋ２を挿着して右端の茶棚Ｅに高さを揃える。次いで、家具三体を跨るように長尺の家具転倒防止装置１００を立設する。三本の支柱３、３、３の間の空間に、段ボール箱Ｄ１、Ｄ２を収納し、また季節ものの扇風機Ｓを収納する。このように、並列する複数の家具の転倒防止を可能にし、かつ、これらの家具の上の空間を段ボール箱Ｄ１、Ｄ２、扇風機Ｓを収納するためのスペースとして有効に利用することができる。当座使用しない或いは使用頻度の少ないものを家具転倒防止装置の空間を身近に収納することができる。なお、本使用例の家具転倒防止装置１００では、桟ユニット５が両手を広げても届かない程長尺になるので、桟ユニット５の両端の片方には副ロック７を設けるので、長尺の桟ユニット５を採用することができる。
【産業上の利用可能性】
【００３１】
本考案の家具転倒防止装置は、東海、南海地震等を予知できない今、事前に望ましい家具等の転倒防止対策となる。本考案の家具転倒防止装置は、新規或いは既存の食器棚、家具 、箪笥等の家財道具にも後付けが可能であり、かつ、容易に立設できるので用途拡大は計り知れないものがある。
【図面の簡単な説明】
【００３２】
【図１】本考案における地震対策転倒防止装置の全体斜視図である。
【図２】同上、支柱の詳細図である。
【図３】同上、高さ調整アジャスターの詳細図である。
【図４】同上、桟のロックユニットの詳細図である。
【図５】同上、桟の副ロックユニットの詳細図である。
【図６】同上、支柱にカバーを覆設した状態の斜視図である。
【図７】同上、使用例１に係る説明図である。
【図８】同上、使用例２に係る説明図である。
【図９】同上、使用例３に係る説明図である。
【図１０】同上、使用例４に係る説明図である。
【符号の説明】
【００３３】
１００  転倒防止装置
１  天板
２  底板
３  支柱、３１  外支柱、３２  内支柱、３３  底部、３４  カバー
４  アジャスター、４１  ボルト、４２  ナット、４３  ナット
４４  ストッパー、４５  ボルト、４６  ストッパーボルト
５  桟ユニット
６  ロックユニット、６１  レバー、６２  ピン、６３  溝、６４  軸
６５  桟レバー、６６  軸
７  副ロックユニット、７１  レバー、７１１  軸、７１２  ピン
７２  レバー、７２１  軸、７２２  バネ、７２３  バネ止め
７３  ヒンジ、７３１  軸、７３２  溝
７４  基板
８  コーナー、８１  木ネジ、８２  ボルト
Ａ  エアコン、Ｂ  本棚、Ｃ  天井、
Ｄ、Ｄ１、Ｄ２  段ボール箱、Ｅ  茶棚、Ｆ  床、Ｇ  神棚、Ｓ  扇風機
Ｋ、ｋ１、Ｋ２  台
Ｔ、Ｔ１、Ｔ２  箪笥、Ｗ  時計
Ｈ  調整代
Ｖ、Ｗ、Ｘ、Ｙ  矢印
【図１】
0003143809.tif 000003
【図２】
0003143809.tif 000004
【図３】
0003143809.tif 000005
【図４】
0003143809.tif 000006
【図５】
0003143809.tif 000007
【図６】
0003143809.tif 000008
【図７】
0003143809.tif 000009
【図８】
0003143809.tif 000010
【図９】
0003143809.tif 000011
【図１０】
0003143809.tif 000012